(57)【要約】      （修正有）【課題】直線接続も直交接続も可能であり、それでいて電路間の距離を狭くしても絶縁距離も確保できる端子台を提供する。【解決手段】導電部材４は、基台２上に左右に列設して横方向に整列した状態と階段状にずらして配置した状態とを選択して組み付けでき、個々の導電部材４の左右には、絶縁距離を確保するために壁状に形成された絶縁部材５が配置され、この絶縁部材５は個々の導電部材４の左右に固定配置された固定壁５１ａ、５１ｂと、位置を移動できる可動壁５３とを有している。可動壁５３は、個々の第２端子２０の近傍となる特定位置に配置され、固定壁５１ａ、５１ｂを延長して第２端子２０の側方に配置される側壁延長位置と、固定壁５１ａ、５１ｂから分離されて第２端子２０の前方を塞ぐ位置に配置される前面壁位置とに、位置を変更可能とした。【選択図】図１
2020061257.tif 000002
【特許請求の範囲】
【請求項１】
複数の導電部材を有し、当該導電部材の前後両端に電線を接続するための端子を形成し、後方の第１端子に第1の電線を接続すると共に、前方の第２端子に第２の電線を接続することで、前記第１の電線と前記第２の電線とが接続される端子台であって、
複数の前記導電部材は、基台上に左右に列設して、横方向に整列した状態と前後方向へ階段状にずらして配置した状態とを選択して組み付けできる一方、
少なくとも前記導電部材の間には、互いの絶縁距離を確保するために壁状に形成された絶縁部材が配置され、
前記絶縁部材は、個々の前記導電部材の左右に固定配置された固定壁と、位置を移動できる可動壁とを有し、
前記可動壁は、個々の前記第２端子の近傍となる位置に配置され、前記固定壁を延長して前記第２端子の側方に配置される側壁延長位置と、前記固定壁から分離されて前記第２端子の前方を塞ぐ位置に配置される前面壁位置とに、位置を変更可能であることを特徴とする端子台。
【請求項２】
前記導電部材は、前記基台上で前後に摺動する摺動部材に連結されると共に、前記絶縁部材は前記導電部材毎に独立形成され、
前記導電部材の左右に配置された前記固定壁は、前記摺動部材と前記導電部材の間に配置された連結部材で連結されて、前記導電部材と共に前記摺動部材に連結されて成ることを特徴とする請求項１記載の端子台。
【請求項３】
前記可動壁は、前記第２端子の一部を成して上下方向に配置されたねじ手段を挿通する軸片を有し、
前記ねじ手段を中心とする水平面内を回動することで、前記可動壁は移動を実施することを特徴とする請求項１又は２記載の端子台。
【発明の詳細な説明】
【技術分野】
【０００１】
本発明は、電線同士を連結する為の端子台に関する。
【背景技術】
【０００２】
電線同士を連結する一般的な端子台は、電線が直線的に連結されるよう構成されていた。そのため、入線と出線の角度が異なる場合、例えば直角に折り曲げたい場合は、端子台で連結する前、或いは連結した後に電路を折り曲げて対応していた。このように、連結する際に直角或いは直角に近い角度に角度変更するには、電線を折り曲げるスペースを別途必要とした。
これでは、省スペースな構成が要求される分電盤では使いづらいため、端子台上で角度を付けて電路を連結可能とする端子台が提案されている。例えば、特許文献１の端子台は、対を成す個々の端子部を異なる長さとして階段状に形成し、入線方向に対して出線方向を無理なく直交させて接続することを可能とした。
【先行技術文献】
【特許文献】
【０００３】
【特許文献１】特開２００４−３４９１７０号公報
【発明の概要】
【発明が解決しようとする課題】
【０００４】
上記特許文献１の端子台は、端子台の入線と出線を互いに直交させて接続できるため、電線を折り曲げるスペースが必要なくなり、省スペースで電線の連結ができた。
しかしながら、特許文献１の構成は、直交接続だけで無く直線接続も可能とするために、隣接する端子間を絶縁する絶縁壁を十分な大きさで形成できず、絶縁距離を確保するためには端子間の距離を大きく、即ち隣接する電路の距離を離す必要があり、省スペース化には改善の余地があった。
【０００５】
そこで、本発明はこのような問題点に鑑み、直線接続も直交接続も可能であり、それでいて電路間の距離を狭くしても絶縁距離も確保できる端子台を提供することを目的としている。
【課題を解決するための手段】
【０００６】
上記課題を解決する為に、請求項１の発明は、複数の導電部材を有し、当該導電部材の前後両端に電線を接続するための端子を形成し、後方の第１端子に第1の電線を接続すると共に、前方の第２端子に第２の電線を接続することで、第１の電線と第２の電線とが接続される端子台であって、複数の導電部材は、基台上に左右に列設して、横方向に整列した状態と前後方向へ階段状にずらして配置した状態とを選択して組み付けできる一方、少なくとも導電部材の間には、互いの絶縁距離を確保するために壁状に形成された絶縁部材が配置され、絶縁部材は、個々の導電部材の左右に固定配置された固定壁と、位置を移動できる可動壁とを有し、可動壁は、個々の第２端子の近傍となる位置に配置され、固定壁を延長して第２端子の側方に配置される側壁延長位置と、固定壁から分離されて第２端子の前方を塞ぐ位置に配置される前面壁位置とに、位置を変更可能であることを特徴とする。
この構成によれば、隣接する導電部材同士を絶縁する絶縁部材が固定壁と可動壁とから成り、可動壁が固定壁に連続する位置と、第２端子の前方を塞ぐ位置に移動可能であるため、可動壁を固定壁に連続するよう配置すれば、第１の電線と第２の電線とを直線状に接続できるし、隣接する電路との間に良好な絶縁壁を形成できる。また、可動壁を移動して第２端子の前方に配置すれば、第２端子の側方が開放されて第１の電線と第２の電線との直交接続が可能となるし、可動壁により第２端子の絶縁を図ることができる。
よって、直交接続と直線接続の双方に対して隣接する電路を良好に絶縁することが可能となり、隣接する電極間の距離を十分狭くできる。
尚、電線を直交接続する際は導電部材を階段状に配置することで、側方から第２端子へ電線を容易に接続できる。
【０００７】
請求項２の発明は、請求項１に記載の構成において、導電部材は、基台上で前後に摺動する摺動部材に連結されると共に、絶縁部材は導電部材毎に独立形成され、導電部材の左右に配置された固定壁は、摺動部材と導電部材の間に配置された連結部材で連結されて、導電部材と共に摺動部材に連結されて成ることを特徴とする。
この構成によれば、導電部材は前後に移動可能に基台に組み付けられるし、絶縁部材も導電部材と共に個々に移動するため、基台上に左右に隣接して一列に整列した状態と、前後に階段状にずらした状態を容易に形成でき、電線の直線接続と直交接続を容易に実施できる。
【０００８】
請求項３の発明は、請求項１又は２に記載の構成において、可動壁は、第２端子の一部を成して上下方向に配置されたねじ手段を挿通する軸片を有し、ねじ手段を中心とする水平面内を回動することで、可動壁は移動を実施することを特徴とする。
この構成によれば、可動壁を固定壁に連続する位置と、第２端子の前方に配置される位置とに容易に移動操作できる。
【発明の効果】
【０００９】
本発明によれば、隣接する導電部材同士を絶縁する絶縁部材が固定壁と可動壁とから成り、可動壁が固定壁に連続する位置と、第２端子の前方を塞ぐ位置に移動可能であるため、可動壁を固定壁に連続するよう配置すれば、第１の電線と第２の電線とを直線状に接続できるし、隣接する電路との間に良好な絶縁壁を形成できる。また、可動壁を移動して第２端子の前方に配置すれば、第２端子の側方が開放されて第１の電線と第２の電線との直交接続が可能となるし、可動壁により第２端子の絶縁を図ることができる。
よって、直交接続と直線接続の双方に対して隣接する電路を良好に絶縁することが可能となり、隣接する電極間の距離を十分狭くできる。
【図面の簡単な説明】
【００１０】
【図１】本発明に係る端子台の一例を示す斜視図であり、（ａ）は電線同士を直交接続する配置、（ｂ）は直線接続する配置を示している。
【図２】端子台の分解説明図であり、１電路分の構成を示している。
【図３】直交接続した端子台を示し、（ａ）は平面図、（ｂ）は右側面図である。
【図４】直線接続した端子台を示し、（ａ）は平面図、（ｂ）は正面図である。
【発明を実施するための形態】
【００１１】
以下、本発明を具体化した実施の形態を、図面を参照して詳細に説明する。図１は、本発明に係る端子台の一例を示す斜視図であり、（ａ）は電線同士を直交接続する端子配置を示し、（ｂ）は直線接続する端子配置を示している。
図１に示す端子台１は、３極から成る電路同士を接続する構成を示しており、一方の電路を接続する第１端子部Ｐ１が３個の端子１０（第１端子）で構成され、他方の電路を接続する第２端子部Ｐ２が３端子の端子２０（第２端子）で構成されている。
【００１２】
第１端子１０と第２端子２０とは、端子間を導通させるための導電部材４の両端に形成され、この導電部材４を３個備えて端子台１は形成されている。具体的に、図２を参照して説明する。図２は端子台１の分解説明図であり、１電路分の構成を示している。
図２に示すように、端子台１は、基台２、基台２上に配置される摺動部材３、端子間を導通させるための導電部材４、隣接する電路間の絶縁距離を得るための絶縁部材５、第１端子１０及び第２端子２０を構成するねじ手段としてのボルト６、摺動部材３及び絶縁部材５を基台２に固定するための固定ねじ７により構成されている。
【００１３】
基台２は、前後方向に直線形成された並行する一対の案内溝２１と、双方の案内溝２１の間に形成された長穴２２とを有する組を１単位として有し、ここでは３線から成る電路を接続する構成であるため、この組を３組備えて一体に形成されている。
案内溝２１は、摺動部材３の移動を案内するための溝であり、基台２内で互いに向き合うように断面Ｌ字状に形成されている。
尚、図２では、１単位を構成する部材を中心に示しており、基台２は１単位のみ実線で示している。
【００１４】
一方、摺動部材３は、左右に案内溝２１に挿入する脚部３１を有し、脚部３１は案内溝２１に挿入して係合するようＬ字状に先端を折り曲げた形状となっている。この結果、摺動部材３は、案内溝２１に案内されて前後に摺動可能に基台２に取り付けられる。
また、摺動部材３の中央には、摺動部材３を基台２に固定し、且つ導電部材４を固定するための固定ねじ７を挿通するねじ挿通孔３２が形成されている。
【００１５】
導電部材４は板状金属片であり、長手方向一端に第１端子１０を構成するねじ挿通孔１０ａを有し、他端に第２端子２０を構成するねじ挿通孔２０ａを有し、中央には固定ねじ７を挿通する固定孔４１が形成されている。
【００１６】
絶縁部材５は、合成樹脂から成り導電部材４毎に独立に形成されている。そして、導電部材４の左右に壁状に起立形成され、導電部材４を挟持するように配置される固定壁５１（右側固定壁５１ａ，左側固定壁５１ｂ）、移動して左右何れかの固定壁５１に隣接配置可能な可動壁５３、導電部材４の下部に配置されて左右の固定壁５１ａ，５１ｂ同士を連結する連結部材５２を有している。
左側固定壁５１ｂは、導電部材４の長さに合わせた奥行きを有する一方、右側の固定壁５１ａは導電部材４の中央から後部の第１端子１０に亘る奥行きを有し、第２端子２０の側方を露出させる構成となっている。
【００１７】
可動壁５３は、下部に第２端子２０のボルト６を挿通して回動軸とするための軸片５５を有し、第２端子２０を中心に水平面内で略９０度回転するよう構成されている。
この回転により、図１（ａ）に示すように左側固定壁５１ｂに当接してＬ字状を成す絶縁壁を形成し、第２端子２０の前方を閉塞する前面壁位置と、９０度回転して図１（ｂ）に示すように第２端子２０の右側に配置され、右側固定壁５１ａを延長するように連続配置される側壁延長位置との２つの形態を形成可能に構成されている。
【００１８】
連結部材５２は、導電部材４を載置する載置面を上部に形成し、前後にボルト６を挿通する挿通孔５２ａ、中央に固定ねじ７を挿通する挿通孔５２ｂを有し、肉厚に形成されている。そして、前面側の側部に可動壁５３の軸片５５を挿入する挿入溝５２ｃが形成されている。
挿入溝５２ｃは前側の挿通孔５２ａを含む領域で形成され、挿入された軸片５５の軸穴５５ａにボルト６が挿通されるよう構成されている。
【００１９】
このように構成された各部材を基台２上に組み付けることで、図１に示す端子台１が形成される。組付けは、基台２の案内溝２１に摺動部材３を挿入して基台２に係合させた状態で、絶縁部材５、導電部材４を基台２に載置し、導電部材４の固定孔４１、絶縁部材５の挿通孔５２ｂに上方から固定ねじ７を挿通し、基台２の底部に配置した図示しないナットに螺入して行われる。
尚、その際、絶縁部材５の連結部材５２に可動壁５３の軸片５５を挿入し、連結部材５２、及び導電部材４に対して、端子を形成するためのボルト６を下方から挿通しておく。
【００２０】
こうして、他の２つの電路の部材も基台２に組み付けて、全３電路の部材を基台２に組み付けて端子台１は形成される。そして、電線同士が直交して連結される場合は、図１（ａ）に示すように導電部材４は階段状に配置され、可動壁５３は第２端子２０の前方に配置されて、側方から電路を構成する電線の接続を可能とする。
一方、電線同士が一直線に連結される場合は、図１（ｂ）に示すように各導電部材４を横一列に配置して、可動壁５３は固定壁５１に連続して直線状の壁を作るするよう配置し、電線を前方から接続可能とする。
【００２１】
図３，４は、実際に電線を接続した状態を示している。図３は直交接続した状態、図４は直線接続した状態を示している。但し、図３（ｂ）の右側面図、図４（ｂ）の正面図では電線を省略し圧着端子のみ示している。
Ｍ１は第１端子部Ｐ１に接続される第１の電線、Ｍ２は第２端子部Ｐ２に接続される第２の電線を示し、何れも先端に圧着端子９が取り付けられて接続される。
第１の電線Ｍ１、第２の電線Ｍ２の端子１０，２０への接続は、圧着端子９を上方に向けて配置されているボルト６に外挿し、ナット８で導電部材４に圧着して成される。
【００２２】
このように、隣接する導電部材４同士を絶縁する絶縁部材５が固定壁５１と可動壁５３とから成り、可動壁５３が固定壁５１に連続する位置と、第２端子２０の前方を塞ぐ位置に移動可能であるため、可動壁５３を固定壁５１に連続するよう配置すれば、第１の電線Ｍ１と第２の電線Ｍ２とを直線状に接続できるし、隣接する電路との間に良好な絶縁壁を形成できる。また、可動壁５３を移動して第２端子２０の前方に配置すれば、第２端子２０の側方が開放されて第１の電線Ｍ１と第２の電線Ｍ２との直交接続が可能となるし、可動壁５３により第２端子２０の絶縁を図ることができる。
よって、直交接続と直線接続の双方に対して隣接する電路を良好に絶縁することが可能となり、隣接する電極間の距離を十分狭くできる。
更に、導電部材４は前後に移動可能に基台２に組み付けられるし、絶縁部材５も導電部材４と共に個々に移動するため、基台２上に左右に隣接して一列に整列した状態と、前後に階段状にずらした状態を容易に形成でき、電線Ｍ１，Ｍ２の直線接続と直交接続を容易に実施できる。
加えて、可動壁５３は第２端子２０を中心に回動することで、可動壁５３を固定壁５１に連続する位置と、第２端子２０の前方に配置される位置とに容易に移動操作できる。
【００２３】
尚、上記実施形態では、電線を直線接続する場合は導電部材４を横方向に一列に並べて配置しているが、直交接続する場合と同様に導電部材４を階段状に配置して直線接続しても良い。この場合、導電部材４は階段状の配置に固定できるため摺動部材３は必要なくなる。
また、３本の電線を接続する構成を示したが、２本の電線から成る電路の接続であれば第１端子部Ｐ１、及び第２端子部Ｐ２は２端子で構成すれば良いし、４本の電線から成る電路であればそれぞれ４端子で構成すれば良い。
【符号の説明】
【００２４】
１・・端子台、２・・基台、３・・摺動部材、４・・導電部材、５・・絶縁部材、６・・ボルト、７・・固定ねじ、１０・・第１端子、２０・・第２端子、５１・・固定壁、５２・・連結部材、５３・・可動壁、Ｐ１・・第１端子部、Ｐ２・・第２端子部、Ｍ１・・第１の電線（電線）、Ｍ２・・第２の電線（電線）。
【図１】
2020061257.tif 000003
【図２】
2020061257.tif 000004
【図３】
2020061257.tif 000005
【図４】
2020061257.tif 000006